(57)【要約】【課題】軸部材を係止することができ、且つ事前にレール側に取付穴を形成していなくても現場施工が可能なプレート部材及び軸部材の係止構造を提供する。【解決手段】戸板５０を回動自在に支持する軸部材２が移動しないよう戸枠３に設けられた上レール４内に係止するプレート部材１であって、前記戸枠にねじ固定される固定部１０と、該固定部から前記上レール側に突出するように延設して形成され、前記軸部材を前記上レール内に係止するストッパー部１１とを備えていることを特徴とする。【選択図】図１
2011226063.tif 000002
【特許請求の範囲】
【請求項１】
戸板を回動自在に支持する軸部材が移動しないよう戸枠に設けられた上レール内に係止するプレート部材であって、
前記戸枠にねじ固定される固定部と、
該固定部から前記上レール側に突出するように延設して形成され、前記軸部材を前記上レール内に係止するストッパー部とを備えていることを特徴とするプレート部材。
【請求項２】
請求項１において、
前記固定部と前記ストッパー部とは段差状に形成されていることを特徴とするプレート部材。
【請求項３】
請求項１または請求項２において、
前記固定部には、前記上レールの長手方向に沿って長細形状のねじ挿通孔が形成されていることを特徴とするプレート部材。
【請求項４】
請求項１〜請求項３のいずれか１項において、
前記ストッパー部の前記固定部からの突出方向端部には、前記突出方向とは交差する方向に延設された戸板倒れ防止片が形成されていることを特徴とするプレート部材。
【請求項５】
請求項１〜請求項４のいずれか１項に記載のプレート部材によって、前記上レールに向かって付勢するよう出没自在に構成され、前記上レール内に設けられた軸受部に軸支された前記軸部材が係止されることを特徴とする軸部材の係止構造。
【発明の詳細な説明】
【技術分野】
【０００１】
本発明は、戸板を回動自在に支持する軸部材をレール内に係止するプレート部材及び軸部材の係止構造に関する。
【背景技術】
【０００２】
従来より、複数枚の戸板を折り畳み自在に連結して構成された折戸は、クローゼットなどの開閉扉や居室内の間仕切りの開閉壁などとして用いられている。
このような折戸において、上述のように吊元側の戸板を回動自在に支持する軸部材が、戸先側の戸板に設けられたランナー部材の走行に伴って移動しないようレール内に係止されたものが知られている。
【０００３】
例えば下記特許文献１には、上レールに対し移動不能に上部ピポット（軸部材）を固定する上部固定用軸受金具が開示されている。
ここには、上部ピポットが上部固定用軸受け金具から抜け出ないように嵌合凹部の外側に段状に連続して弧状壁部を形成するとともに、上部ピポットの先端ブシュが係合する顎部を形成したものが記載されている。
【先行技術文献】
【特許文献】
【０００４】
【特許文献１】特開２００１−３４９１２４号公報
【発明の概要】
【発明が解決しようとする課題】
【０００５】
このように吊元側の戸板に設けられた軸部材を移動不能とするためには、上記特許文献１に記載されているような上部固定用軸受け金具の他、レール内にブロック体を嵌め入れ、これをストッパーにするようなものも考えられる。
しかしながら、上述のような構成とした場合、レールの幅方向の寸法などに合わせて成型品を作製する必要があり、またそのようにして作製された成型品は、そのレールにしか嵌め入れられないものとなってしまう。さらに上部固定用軸受け金具やブロック体はレール内に取り付け固定されるため、事前にレール側にこれら部材を取り付けるための取付穴を形成しておかなければ、現場施工ができないという問題もある。
【０００６】
本発明は、上記実情に鑑みてなされたものであり、軸部材を係止することができ、且つ事前にレール側に取付穴を形成していなくても現場施工が可能なプレート部材及び軸部材の係止構造を提供することを目的としている
【課題を解決するための手段】
【０００７】
上記目的を達成するために、本発明に係るプレート部材は、戸板を回動自在に支持する軸部材が移動しないよう戸枠に設けられた上レール内に係止するプレート部材であって、前記戸枠にねじ固定される固定部と、該固定部から前記上レール側に突出するように延設して形成され、前記軸部材を前記上レール内に係止するストッパー部とを備えていることを特徴とする。
【０００８】
また本発明において、前記固定部と前記ストッパー部とは段差状に形成されているものとしてもよい。
さらに本発明において、前記固定部には、前記上レールの長手方向に沿って長細形状のねじ挿通孔が形成されているものとしてもよい。
そして本発明において、前記ストッパー部の前記固定部からの突出方向端部には、前記突出方向とは交差する方向に延設された戸板倒れ防止片が形成されているものとしてもよい。
そしてまた上述のプレート部材によって、前記上レールに向かって付勢するよう出没自在に構成され、前記上レール内に設けられた軸受部に軸支された前記軸部材が係止されるものとしてもよい。
【発明の効果】
【０００９】
本発明に係るプレート部材によれば、軸部材を係止することができ、且つ戸枠に直接ねじ固定される構成となっているので、事前にレール側に取付穴を形成していなくても現場施工が可能となる。
また本発明に係る軸部材の係止構造によれば、出没自在に構成され大きな衝撃が戸板に加わった際には軸部材が外れる可能性がある軸部材をレール内に係止することができる。
【図面の簡単な説明】
【００１０】
【図１】（ａ）は本発明の一実施形態に係るプレート部材の模式的平面図であり、（ｂ）は、同プレート部材が戸枠に取り付けられた状態を示す概略断面図である。
【図２】同プレート部材が戸枠に取り付けられた状態を示す概略斜視図である。
【図３】同プレート部材が戸枠に取り付けられた状態を示す概略正面図である。
【図４】同プレート部材が戸枠に取り付けられた状態を示す概略横断面図である。
【図５】（ａ）及び（ｂ）はいずれも本発明の一実施形態に係るプレート部材の変形例を示す模式的平面図である。
【発明を実施するための形態】
【００１１】
以下に本発明の実施の形態について、図面に基づいて説明する。
本実施形態に係るプレート部材１は、戸板５０を回動自在に支持する軸部材２が移動しないよう戸枠３に設けられた上レール４内に軸部材２を係止する。
プレート部材１は、少なくとも戸枠３にねじ固定される固定部１０と、該固定部１０から上レール４側に突出するように延設して形成され、軸部材２を上レール４内に係止するストッパー部１１とを備えている。
【００１２】
プレート部材１によって係止される軸部材２が設けられる戸板５０は、二枚の戸板５０，５０を、蝶番８で折り畳み自在に連結することによって折戸５を構成している（図４参照）。折戸５は、クローゼットの扉や、相互に隣接する居室間の開閉可能な間仕切りとして使用される。図例では、建物の室内空間１５と収納空間１６との間を仕切る内壁９に開設された開口部９０を、折戸５によって閉塞または開放するクローゼット用の開閉扉として施工された状態を示している。
折戸５は、開口部９０に設けられた３方枠（上枠３０、縦枠３１，３１）などの戸枠３内に配置され、上枠３０に設けられた上レール４にスライド自在に支持される。なお、上枠３０と縦枠３１とはダボ等によって互いに強固に接合されており、戸枠３は３方枠に限定されず、下レールを備えた４方枠であってもよい。
より具体的には、吊元側となる一方の戸板５０がその上端部に設けられた軸部材２によって上レール４にヒンジ結合され、戸先側となる他方の戸板５０がその上端部に設けられたランナー部材（不図示）により上レール４に沿って走行可能に取り付けられている。
【００１３】
このように二枚の戸板５０，５０を蝶番８によって連結した折戸５は、図３において左方に位置する戸板５０のように横に一直線とした状態が、閉止された状態（閉状態）とされる。一方、図４において二枚の戸板５０，５０を手前側（上レール４に直交する方向で、室内空間側）に向けて蝶番８で連結された箇所を突出させるようにして折り畳んだ状態が、全開された状態（開状態）とされる。
この折戸５の開動及び閉動は、一方の戸板５０の前面に設けられた把手等をしてなされる。
【００１４】
軸部材２は、上レール４内に取り付けられる軸受部６１ａに軸支され、吊元側となる戸板５０を回動自在に支持している。
軸部材２は、円筒体からなり、図例のように上レール４に向かって付勢するよう出没自在に構成された出没部２０と、出没部２０を弾性付勢するばね部材２１ａが内蔵され戸板５０に形成された凹所５０ａに嵌め入れられる軸本体部２１とを備えている。
この場合、軸部材２の出没部２０の先側２０ａを押圧すると、ばね部材２１ａが圧縮されて出没部２０が軸本体部２１内に没し、先側２０ａの押圧状態を解除するとばね部材２１ａの復元弾力が作用して出没部２０が突出した状態になる（図１（ｂ）参照）。
このように軸部材２が出没自在に構成されたものとした場合は、戸板５０を吊り込む際には、上レール４に出没部２０の先側２０ａを当て押圧すれば、出没部２０が没し、戸板５０の下端部と床面の間に空間が生まれるので、戸板５０の吊り込み施工がしやすい。
【００１５】
上レール４は、金属材等からなり、木質材からなる上枠３０の長手方向中央に形成された凹溝３０ａに嵌め込まれて構成される。
上レール４は、凹溝３０ａの出隅部分に係止される鍔部４ａと凹溝３０ａの形状に合わせて形成された凹部４ｂとを備えており、上レール４の縦枠３１側端部には軸部材２を回動自在に軸支する軸受部６１ａを有した軸受ブラケット６が取り付けられている（図３参照）。
軸受ブラケット６の構成は、特に限定されるものではないが、上レール４の凹部４ｂの幅方向に合わせて凹部４ｂ内に収まるように形成されている。軸受ブラケット６は、ビス６０ａによって上レール４の凹部４ｂ内に取り付けられる固定ブラケット６０と、軸受部６１ａを有した板バネ６１とを備えている。板バネ６１は、金属材製の板材等からなり、固定ブラケット６０によって上レール４内に取り付け固定され、凹状に折り曲げられた部分が軸受部６１ａとなる。そして板バネ６１の固定ブラケット６０で固定される側とは反対側の端部は、軸部材２を軸受部６１ａに誘導するために軸受部６１ａに向かって緩やかに傾斜した傾斜部６１ｂが構成されている。
【００１６】
プレート部材１は、金属材等からなる板体をプレス加工することにより作製される。プレート部材１は、上述したように戸枠３にねじ固定される固定部１０と、該固定部１０から上レール４側に突出するように延設して形成されたストッパー部１１とを備えている。
プレート部材１は、木質材からなる上枠３０に直接ねじ固定されている。このとき、略長方形状に形成された固定部１０を上枠３０に設けられた上レール４を挟んで収納空間１６側に配置し、ストッパー部１１を固定部１０から上レール４側に突出するように配置した状態で取り付けられる（図２参照）。
【００１７】
このようにプレート部材１は、固定部１０から上レール４側に突出するように延設されたストッパー部１１が凹部４ｂの幅方向に向かって跨ぐように取り付けられている。従って、軸部材２が軸受部６１ａから外れ、板バネ６１の傾斜部６１ｂ側に移動しようとしても、軸部材２がプレート部材１のストッパー部１１の端部に当たって係止され、それ以上の移動を阻止することができる。そしてストッパー部１１の端部に軸部材２が当たることで、軸部材２は再び軸受部６１ａの適正な位置に誘導される。
またプレート部材１は、上述のようにプレス加工によって作製されるので、従来のもののように成型品によって作製されるもの比べると安価に製造することができる。
さらに上枠３０に直接プレート部材１をねじ固定できるので、事前に上レール４側にプレート部材１を固定するための取付孔を形成しておく必要がなく、現場で施工できる。
【００１８】
またここでプレート部材１は、上枠３の収納空間１６側にねじ固定された固定部１０によって取り付けられているので、例えば図４に示すように戸板５０の開閉軌道に干渉することがなく、折戸５の開閉をスムーズにすることができる。
そしてプレート部材１は薄型に構成され、上述のように上枠３の収納空間１６側にねじ固定された固定部１０によって取り付けられているので、取付状態において目立たず見栄えのよい折戸５を構成することができる。
【００１９】
固定部１０とストッパー部１１とは段差状に形成されていることが望ましい。例えば、図１（ｂ）に示すように上枠３０に固着された状態においては、ストッパー部１１が固定部１０より、下方（床面側）に向かって突出するように段部１４が形成されているものとしてもよい。
この段部１４は固定部１０とストッパー部１１の境界を折り曲げ加工して形成されており、上レール４の鍔部４ａの厚みを吸収し且つ、戸板５０の上端部に当たらないように僅かな段差が形成されていればよい。
このように固定部１０とストッパー部１１とが段差状に形成されているものとした場合は、上レール４の鍔部４ａの厚みを吸収することができる。
【００２０】
固定部１０には、上レール４の長手方向に沿って長細形状のねじ挿通孔１０ａが形成されていることが望ましい。このねじ挿通孔１０ａの形成される位置や個数、形状は図例のものに限定されるものではないが、戸板５０の開閉軌道に干渉することがないようにストッパー部１１の突出方向とは反対側の固定部１０の角部近傍に設けられていることが好ましい。図中、１３はねじ挿通孔１０ａに挿通され、上枠３０に直に螺入される取付用ねじである。
このようにねじ挿通孔１０ａが上レール４の長手方向に沿って長細形状に形成されたものとした場合は、プレート部材１を取り付ける際に長手方向に取り付け位置の位置調整を行うことができる。
【００２１】
ストッパー部１１の固定部１０からの突出方向端部には、突出方向とは交差する方向に延設された戸板倒れ防止片１２が形成されたものとしてもよい。またストッパー部１１から戸板倒れ防止片１２へは円筒状の軸部材２に沿うよう弧形状に形成してもよい。
戸板倒れ防止片１２は、必ずしもストッパー部１１の固定部１０からの突出方向端部の両側に形成されている必要はないが、図例のように左右対称に形成した場合は、戸板５０をヒンジ結合する側が左右いずれの場合にも適用できる。従って、プレート部材１の汎用性を高めることができる。
戸板倒れ防止片１２を備えたものとした場合は、例えば戸板５０にこどもがぶつかるなどして何らかの衝撃が加わり、万が一軸部材２が軸受部６１ａから外れた際に、戸板５０が室内空間１５側に転倒するのを防止することができる。すなわちこれによれば、軸部材２の上レール４における長手方向への移動はストッパー部１１で係止でき、軸部材２の上レール４における幅方向への移動は戸板倒れ防止片１２で係止できる。
従って、上述のように軸部材２が出没自在に構成され、板バネ６１によって軸受部６１ａに誘導する構成とした場合でも、ストッパー部１１と戸板倒れ防止片１２とによって軸部材２を２方向（上レール４の長手方向及び幅方向）からしっかりと係止することができる。
【００２２】
図５（ａ）及び（ｂ）は、上述のプレート部材１の変形例を示している。
なお、共通する部分には共通の符号を付し、共通する部分の説明は省略する。
図５（ａ）に示すように略Ｔ字形状からなるものとしても、上述の軸部材２を上レール４の長手方向へ移動しないよう上レール４内に係止することができる。
また図５（ｂ）に示すようにストッパー部１１の突出方向の側部に軸部材２を係止するＲ加工部１１ａを形成したものとしてもよい。
これらも上述のプレート部材１と同様にプレス加工によって作製されるので、従来のもののように成型品によって作製されるものと比べて安価に製造することができる。また上枠３０に直接固定部１０をねじ固定できるので、予め上レール４側にプレート部材１を固定するための取付孔を形成しておく必要がなく、現場で施工できる点も同様である。
【００２３】
なお、本実施形態では、軸部材２がばね部材２１ａによって出没自在とされた例を図示して説明したがこれに限定されるものではない。また軸部材２を軸支する軸受部６１ａや軸受ブラケット６の構成も上述の例に限定されるものではない。
さらに本実施形態では、折戸５が折り畳まれた際に隣接する戸板５０の連結部が上レール４に直交する方向に向けて突出する空間側を前方としてみた場合、左側の戸板５０を吊元側としプレート部材１を取り付ける例を説明した。従って、吊元側が右側の場合はプレート部材１も上レール４の右側に配置された縦枠３１側端部付近に取り付けられることは言うまでもない。
【符号の説明】
【００２４】
１      プレート部材
１０      固定部
１０ａ        ねじ挿通孔
１１      ストッパー部
１２      戸板倒れ防止片
２      軸部材
３      戸枠
４      上レール
５      折戸
５０      戸板
６１ａ      軸受部  
【図１】
2011226063.tif 000003
【図２】
2011226063.tif 000004
【図３】
2011226063.tif 000005
【図４】
2011226063.tif 000006
【図５】
2011226063.tif 000007